(57)【特許請求の範囲】
【請求項１】
対象物（１００）に接着され，Ｚ状に折り畳まれた状態から引き伸ばされて，前記対象物（１００）をくるむことにより，前記対象物（１００）を丸めた状態に保持するための粘着テープであって，
前記粘着テープは，Ｚ状に折り畳まれた状態において，
前記対象物（１００）に接着される面である裏面に粘着層（１ａ）を有する基底片（１）と，
前記基底片（１）と連続し，前記基底片（１）に対向する面である裏面に粘着層（２ａ）を有する中間片（２）と，
前記中間片（２）と連続し，前記中間片（２）と対向する面である裏面に粘着層（３ａ）を有する最上片（３）とに区分され，
前記中間片（２）は，前記基底片（１）と連続する連結点側の一端において，前記中間片（２）の裏面に設けられた粘着層（２ａ）同士が接着する方向に折り返されており，
前記基底片（１）は，前記中間片（２）と対向する面である表面に離型層（１ｂ）を有し，
前記中間片（２）は，
前記中間片（２）の裏面に設けられた粘着層（２ａ）が，前記基底片（１）の表面に設けられた離型層（１ｂ）と接着する離型層接着部（２１）と，
前記中間片（２）の裏面に設けられた粘着層同士が接着する折返し接着部（２２）と，
前記基底片（１）と前記対象物（１００）の間に配設され，前記中間片（２）の裏面に設けられた粘着層（２ａ）が，前記基底片（１）の裏面に設けられた粘着層（１ａ）に接着する粘着層接着部（２３）と，
前記折返し接着部（２２）が前記対象物（１００）に固着される固着部（２４）を有し，
前記固着部（２４）において前記折返し接着部（２２）と前記対象物（１００）が固着する保持力は，前記中間片（２）の裏面に設けられた粘着層（２ａ）と前記基底片（１）の表面に設けられた離型層（１ｂ）が接着する保持力と比較してより強固である
粘着テープ。
【請求項２】
前記折返し接着部（２２）において，前記中間片（２）の裏面に設けられた粘着層（２ａ）同士が接着する保持力は，前記離型層接着部（２１）において，前記中間片（２）の裏面に設けられた粘着層（２ａ）が前記基底片（１）の表面に設けられた離型層（１ｂ）に接着する保持力より強い
請求項１に記載の粘着テープ。
【請求項３】
前記基底片（１）は，前記中間片（２）と連続する連結点側の一端において，前記基底片（１）の裏面に設けられた粘着層（１ａ）が，前記中間片（２）の前記離型層接着部（２１）の裏面に設けられた粘着層（２ａ）と接着する方向に折り返されており，
前記中間片（２）の前記離型層接着部（２１）の裏面の一部は，前記前記基底片（１）の裏面に設けられた粘着層（１ａ）と接着する
請求項１または請求項２に記載の粘着テープ。
【請求項４】
前記対象物（１００）は，使い捨ておむつである
請求項１から請求項３のいずれかに記載の粘着テープ。
【請求項５】
Ｚ状に折り畳まれた状態から引き伸ばされて，使い捨ておむつ（１００）をくるむことにより，前記使い捨ておむつ（１００）を丸めた状態に保持するための後処理テープ（２００）が接着された後処理テープ付き使い捨ておむつであって，
前記後処理テープ（２００）は，Ｚ状に折り畳まれた状態において，
前記使い捨ておむつ（１００）に接着される面である裏面に粘着層（１ａ）を有する基底片（１）と，
前記基底片（１）と連続し，前記基底片（１）に対向する面である裏面に粘着層（２ａ）を有する中間片（２）と，
前記中間片（２）と連続し，前記中間片（２）と対向する面である裏面に粘着層（３ａ）を有する最上片（３）とに区分され，
前記中間片（２）は，前記基底片（１）と連続する連結点側の一端において，前記中間片（２）の裏面に設けられた粘着層（２ａ）同士が接着する方向に折り返されており，
前記基底片（１）は，前記中間片（２）と対向する面である表面に離型層（１ｂ）を有し，
前記中間片（２）は，
前記中間片（２）の裏面に設けられた粘着層（２ａ）が，前記基底片（１）の表面に設けられた離型層（１ｂ）と接着する離型層接着部（２１）と，
前記中間片（２）の裏面に設けられた粘着層同士が接着する折返し接着部（２２）と，
前記基底片（１）と前記使い捨ておむつ（１００）の間に配設され，前記中間片（２）の裏面に設けられた粘着層（２ａ）が，前記基底片（１）の裏面に設けられた粘着層（１ａ）に接着する粘着層接着部（２３）と，
前記折返し接着部（２２）が前記使い捨ておむつ（１００）に固着される固着部（２４）を有し，
前記固着部（２４）において前記折返し接着部（２２）と前記使い捨ておむつ（１００）が固着する保持力は，前記中間片（２）の裏面に設けられた粘着層（２ａ）と前記基底片（１）の表面に設けられた離型層（１ｂ）が接着する保持力と比較してより強固である
後処理テープ付き使い捨ておむつ。
【発明の詳細な説明】
【技術分野】
【０００１】
本発明は，対象物に接着される粘着テープに関する。具体的に説明すると，本発明の粘着テープは，使い捨ておむつの廃棄時に，使い捨ておむつを丸めた状態で保持するための後処理テープである。また，本発明は，後処理テープが取り付けられた後処理テープ付き使い捨ておむつに関する。
【背景技術】
【０００２】
従来から，使い捨ておむつに取り付けられる後処理テープが知られている。後処理テープは，コンパクトに丸められた使用後の使い捨ておむつを，丸めた状態に保持するために，おむつを巻き止める機能を有する。
【０００３】
一般的な使い捨ておむつの後処理テープは，おむつに接着する基底片と，基底片に連続する中間片と，中間片に連続する最上片とを有し，各片の連結点において折り返されてＺ状に折り畳まれた状態で，おむつの外面に接着される（特許文献１）。基底片と中間片の間，及び中間片と最上片の間は剥離可能に接着され，基底片とおむつの外面は通常の使用によっては剥離しないように接着されている。
【０００４】
また，中間片を基底片の連結点における保持力を補強するための構造を有する後処理テープも知られている（特許文献２）。特許文献２に開示され後処理テープにおいては，例えば，中間片を延出させて，中間片の一部をおむつの外面に接着させる。このように，中間片の一部がおむつに接着しているため，最上片と中間片が展開されたのち，再び最上片と中間片を剥離させる方向と同一方向に引っ張られた場合であっても，基底片がおむつから容易に剥離する事態を防止できる。
【先行技術文献】
【特許文献】
【０００５】
【特許文献１】特開平７−１５７７２８号公報
【特許文献２】国際公開公報ＷＯ２００１−１３８４２号パンフレット
【発明の概要】
【発明が解決しようとする課題】
【０００６】
しかしながら，特許文献１に開示された後処理テープ付きおむつの場合，後処理テープの最上片を摘まんで，最上片と中間片を剥離させ，中間片と基底片を剥離させた後に，再び，最上片と中間片を剥離させた方向に力を加えると，基底片がおむつの外面から剥離してしまうという問題があった。すなわち，後処理テープの基底片は，中間片との連結点側から最も剥離し易くなっているものの，後処理テープが展開した際の作用点がこの基底片と中間片の連結点と一致している場合，後処理テープを展開させた際に，基底片がおむつ外面から容易に剥離してしまうという事態が生じていた。
【０００７】
また，特許文献２に開示された後処理テープ付きおむつの場合，後処理テープとおむつ外面の剥がれ難さは，中間片の裏面に設けられた粘着層とおむつ外面の接着強度に依存する。つまり，中間片の裏面に設けられた粘着層の保持力が弱いと，後処理テープは容易におむつから乖離してしまう。一方で，中間片の裏面に設けられた粘着層の保持力を強くすると，後処理テープを展開するに際し，中間片が基底片から剥がれ難くなってしまう。従って，特許文献２に開示された後処理テープにおいて，おむつからの剥がれ難さを維持しつつ，中間片と基底片の剥がれ易さを担保するためには，中間片の裏面の粘着層の保持力を，接着箇所に応じて変更することが必要となる。しかしながら，中間片の粘着層が接着する箇所に応じて，その部分の保持力を変更することは容易ではなかった。
【０００８】
そこで，現在，後処理テープを展開させた際の作用点を基底片と中間片の連結点からずらすことにより，後処理テープの基底片がおむつの外面から剥離する事態を防止しつつ，使用に際して展開し易い後処理テープ及び後処理テープ付き使い捨ておむつが求められている。
【課題を解決するための手段】
【０００９】
本発明者は，上記従来技術の問題を解消するために鋭意検討した結果，基底片と連結する中間片の一端を折返して中間片の粘着層同士を接着させ，かつ，中間片の一部を基底片と対象物の間に配設して中間片の粘着層と基底片の粘着層を接着させることにより，後処理テープが展開した際の作用点の位置を，基底片と中間片の連結点からずらすことができるという知見を得た。また，中間片の粘着層同士を接着している部分を，おむつ外面に固着させることにより，基底片がおむつから剥離する事態を効果的に防止しつつ，使用に際して展開し易い後処理テープを得ることができるという知見を得た。
【００１０】
そして，上記知見に基づけば，従来の課題が解決できることに想到し，本発明を完成させた。上記知見に基づく技術的思想は，使い捨ておむつに接着された後処理テープだけでなく，接着された対象物を丸めた状態に保持するための粘着テープに広く適用することができる。具体的に，本発明は，以下の構成を有する。
【００１１】
本発明の第１の側面は，対象物１００に接着し，Ｚ状に折り畳まれた状態から引き伸ばされて，対象物１００をくるむことにより，対象物１００を丸めた状態に保持するための粘着テープである。
この粘着テープは，Ｚ状に折り畳まれた状態において，基底片１，中間片２，及び最上片３に区分される。
基底片１は，対象物１００に接着され，対象物１００と接着する面である裏面に粘着層１ａを有する片である。
中間片２は，基底片１と連続し，基底片１に対向する面である裏面に粘着層２ａを有する片である。
最上片３は，中間片２と連続し，中間片２と対向する面である裏面に粘着層３ａを有する片である。
なお，中間片２と最上片３は，一体的に形成されることにより連続するものであってもよいし，それぞれ別体として形成された片が接着することにより連続するものであってもよい。
また，中間片２は，基底片１と連続する連結点側の一端において，中間片２の裏面に設けられた粘着層２ａ同士が接着する方向に折り返されている。
基底片１は，中間片２と対向する面である表面に離型層１ｂを有する。
そして，中間片２は，離型層接着部２１と，折返し接着部２２と，粘着層接着部２３と，固着部２４を有する。
離型層接着部２１は，中間片２のうち，中間片２の裏面に設けられた粘着層２ａが基底片１の表面に設けられた離型層１ｂと接着する領域である。
折返し接着部２２は，中間片２のうち，中間片２の裏面に設けられた粘着層同士が接着する領域である。
粘着層接着部２３は，中間片２のうち，基底片１と対象物１００の間に配設され，中間片２の裏面に設けられた粘着層２ａが基底片１の裏面に設けられた粘着層１ａに接着する領域である
固着部２４は，折返し接着部２２が対象物１００に固着される部分である。
ここで，固着部２４において折返し接着部２２と対象物１００が固着する保持力は，中間片２の裏面に設けられた粘着層２ａと前記基底片１の表面に設けられた離型層１ｂが接着する保持力と比較してより強固となっている。
【００１２】
また，中間片２の折返し接着部２２と対象物１００の外面を接着させる固着部２４の保持力は，基底片１の裏面に設けられた粘着層１ａが対象物１００の外面に接着する保持力と比較して，より強固なものであってもよい。
【００１３】
本発明は，上記の構成を有することにより，粘着テープが展開した際の作用点の位置を，基底片と中間片の連結点からずらすことができる。また，粘着テープの最も剥離し易い部分である中間片と基底片の連結点側を強固に固着することができる。従って，本発明は，最上片を摘まんで，最上片と中間片を剥離させ，中間片と基底片を剥離させた後に，再び，最上片と中間片を剥離させた方向に力を加えた場合であっても，基底片と中間片の連結点側から，粘着テープが対象物から剥離する事態を効果的に防止できる。
【００１４】
特に，本発明では，粘着テープの最も剥離しやすい部分である基底片１と中間片２の連結点は，固着部２４によって対象物に固定されており，基底片１の表面と中間片２の裏面は，中間片２の裏面に設けられた粘着層２ａによって接着されている。そして，固着部２４が使い捨ておむつの外面に接着される保持力と，中間片２の粘着層２ａが基底片１の離型層１ｂに接着される保持力は異なる。このように，本発明は，固着部２４と粘着層２ａの保持力をそれぞれ異ならせることができるため，粘着テープが対象物から剥離する事態を効果的に防止しつつ，粘着テープの使用に際して中間片２を基底片から剥がれ易くすることができる。
【００１５】
また，折返し接着部２２において中間片２の裏面に設けられた粘着層２ａ同士が接着する保持力は，離型層接着部２１において中間片２の裏面に設けられた粘着層２ａが基底片１の表面に設けられた離型層１ｂに接着する保持力より強い。
【００１６】
一般的に，粘着層同士が接着する保持力は，粘着層と離型層が接着する保持力より強い。本発明においては，中間片２の折返し接着部２２における保持力が，離型層接着部２１における保持力より強いからこそ，粘着テープが展開した際の作用点の位置を，基底片１と中間片２の連結点からずらすことができる。
【００１７】
本発明の第１の側面の好ましい形態では，粘着テープがＺ状に折り畳まれた状態において，基底片１の中間片２と連続する連結点側の一端は，基底片１の裏面に設けられた粘着層１ａが中間片２の離型層接着部２１の裏面に設けられた粘着層２ａと接着する方向に向かって折り返されている。そして，中間片２の離型層接着部２１の裏面に設けられた粘着層２ａの一部が，基底片１の裏面に設けられた粘着層１ａと接着する。
【００１８】
このように，基底片が折り返されていることにより，基底片１の裏面に設けられた粘着層１ａが，中間片２の離型層接着部２１の裏に接着することとなる。従って，基底片１と中間片２の連結強度をより強くすることができる。また，併せて，中間片２の折返し接着部２２において接着した中間片２の接着層２ａ同士が，剥離する事態も防止できる。
【００１９】
なお，上記粘着テープが接着される対象物１００は，使い捨ておむつであることが好ましい。
【００２０】
本発明の第２の側面は，Ｚ状に折り畳まれた状態から引き伸ばされて，使い捨ておむつ１００をくるむことにより，使い捨ておむつ１００を丸めた状態に保持するための後処理テープ２００が接着された後処理テープ付き使い捨ておむつである。
後処理テープ２００は，Ｚ状に折り畳まれた状態において，使い捨ておむつ１００に接着される面である裏面に粘着層１ａを有する基底片１と，基底片１と連続し基底片１に対向する面である裏面に粘着層２ａを有する中間片２と，中間片２と連続し中間片２と対向する面である裏面に粘着層３ａを有する最上片３とに区分される。
また。中間片２は，基底片１と連続する連結点側の一端において中間片２の裏面に設けられた粘着層２ａ同士が接着する方向に折り返されており，基底片１は，中間片２と対向する面である表面に離型層１ｂを有する。
そして，中間片２は，離型層接着部２１と，折返し接着部２２と，粘着層接着部２３と，固着部２４を有する。
離型層接着部２１は，中間片２のうち，中間片２の裏面に設けられた粘着層２ａが基底片１の表面に設けられた離型層１ｂと接着する領域である。
折返し接着部２２は，中間片２のうち，中間片２の裏面に設けられた粘着層同士が接着する領域である。
粘着層接着部２３は，中間片２のうち，基底片１と使い捨ておむつ１００の間に配設され，中間片２の裏面に設けられた粘着層２ａが基底片１の裏面に設けられた粘着層１ａに接着する領域である
固着部２４は，折返し接着部２２が使い捨ておむつ１００に固着される部分である。
ここで，固着部２４において折返し接着部２２と使い捨ておむつ１００が固着する保持力は，中間片２の裏面に設けられた粘着層２ａと前記基底片１の表面に設けられた離型層１ｂが接着する保持力と比較してより強固となっている。
【００２１】
このように，本発明は，具体的には，使い捨ておむつの廃棄時に使い捨ておむつを丸めた状態で保持するための後処理テープ２００，及び後処理テープ２００が取り付けられた使い捨ておむつ１００に適用することが好ましい。
【図面の簡単な説明】
【００２２】
【図１】図１は，本発明が適用された後処理テープ付き使い捨ておむつの例を示す概略斜視図であり，使い捨ておむつを背面から見た状態を示している。
【図２】図２は，使い捨ておむつが，後処理テープによって丸めた状態に保持された例を示す概略斜視図である。
【図３】図３は，本発明の第１の実施形態を説明するための図であり，折り畳まれた状態の後処理テープの厚み方向の断面形状の例を示す概略断面図である。
【図４】図４は，本発明の第１の実施形態の動作例を示す概略図である。
【図５】図５は，本発明の第２の実施形態を説明するための図であり，折り畳まれた状態の後処理テープの厚み方向の断面形状の例を示す概略断面図である。
【図６】図６は，本発明の第２の実施形態の動作例を示す概略図である。
【図７】図７は，本発明の第３の実施形態を示すための図であり，折り畳まれた状態の後処理テープの厚み方向の断面形状の例を示す概略断面図である。
【発明を実施するための形態】
【００２３】
以下，図面を用いて本発明を実施するための形態について説明する。本発明は，以下に説明する形態に限定されるものではなく，以下の形態から当業者が自明な範囲で適宜修正したものも含む。
【００２４】
以下では，粘着テープ付きの対象物の例として，具体的に，後処理テープ付き使い捨ておむつについて説明する。
【００２５】
ただし，粘着テープ，及び粘着テープ付きの対象物は，後処理テープ付き使い捨ておむつには限定されない。粘着テープが取り付けられる対象物には，例えば収納時又は廃棄時に，コンパクトに丸めた状態で保持されることが好ましい物品が含まれる。粘着テープが取り付けられる対象物には，例えば，廃棄時に丸めた状態に保持される使い捨て用のゴミ袋や，収納時に丸めた状態に保持される寝袋が含まれる。
【００２６】
なお，基本的に，本明細書において「裏面」とは，後処理テープが折り畳まれた状態において，使い捨ておむつ側の面（図下方の面）を意味し，「表面」とは，「裏面」と反対側の面（図上方の面）を意味する。ただし，本発明において，中間片は，基底片と連結する側の一端が折り返され，裏面と表面が一部逆転する。このため，中間片においては，基本的に，基底片と対向する面を裏面とし，最上片と対向する面を表面とする。また，中間片のうち，基底片と連結する側の一端が折り返され裏面と表面が逆転した領域においては，粘着層が設けられている面を裏面とし，離型層が設けられている層を表面と表記している。
【００２７】
（１．使い捨ておむつの全体構成）
使い捨ておむつには，例えば乳幼児や高齢者用のおむつが含まれる。使い捨ておむつは，吸収体と，吸収体の表面を被覆するトップシートと，吸収体の裏面を被覆するバックシートを基本構造とする。このような基本構造を有する使い捨てのおむつには，例えば，予めパンツ型に形成されたパンツ型のおむつや，着用者の胴回りを覆うサイドフラップに固定テープが設けられたテープ型のおむつが含まれる。
【００２８】
図１は，本発明が適用された後処理テープ付き使い捨ておむつの例を示す概略斜視図であり，使い捨ておむつを背面から見た状態を示している。図１に示されるように，使い捨て使い捨ておむつ１００の背面には，後処理テープ２００が折り畳まれた状態で取り付けられている。後処理テープ２００は，一般的に，使い捨ておむつ１００の腰周り伸縮材１０１が配設された位置より下方のおむつ本体１０２の外面に，上下方向に向けて取り付けられる。
【００２９】
おむつ本体１０２は，基本的には，吸収体と，吸収体の上面を被覆する液透過性のトップシートと，吸収体の下面を被覆する液不透過性のバックシートから構成される。ここで，おむつ本体１０２の腰周り端１０３周辺には，腰周り伸縮材１０１が配設されている。ここで，腰周り伸縮材１０１が形成された位置に後処理テープ２００を接着すると，腰周り伸縮材１０１の伸縮を妨げたり，腰周り伸縮材１０１によって形成されたギャザーのヒダによって十分な接着面積を確保するができないため，後処理テープ２００は，図１に示されるように，おむつ本体１０２うち腰周り伸縮材１０１が配設されていない位置に取り付けられることが好ましい。
【００３０】
図２は，使い捨ておむつがコンパクトに丸められ，後処理テープによって丸めた状態に保持された例を示す概略斜視図である。後処理テープ２００は，まず，折り畳まれた状態から，最上片３が摘ままれ，基底片１，中間片２，及び最上片３が，略一直線上となるように展開される。そして，展開された後処理テープ２００は，使い捨ておむつ１００の腰周り端１０３を越え，最上片３に形成された粘着層３ａが，おむつ本体１０２に接着されることにより，使い捨ておむつ１００を丸めた状態に保持する。
【００３１】
後処理テープ２００は，基本的には，基底片１が常時おむつ本体１０２の外面に接着されており，基底片１，中間片２，及び最上片３が連続的に形成されることにより後処理テープ２００を構成する。後処理テープ２００は，最上片３が摘まれて引き伸ばされると，中間片２及び最上片３が展開自由片５となる。
【００３２】
後処理テープ２００の全長は，例えば，１５０ｍｍ〜２４０ｍｍで形成される。また，後処理テープ２００を形成する基底片１，中間片２，及び最上片３の長手方向の長さは，それぞれ，例えば，３０ｍｍ〜８０ｍｍで形成される。後処理テープ２００の展開自由片５は，使い捨ておむつ１００を丸めた状態に維持することを考慮すると，６０ｍｍ〜１６０ｍｍの長さを有することが好ましい。また，基底片１，中間片２，及び最上片３の長手方向の長さの長さは，後処理テープ２００の全長を等分したものであってもよい。また，後処理テープ２００を形成する基底片１，中間片２，最上片３，及び補強片４の厚みは，それぞれ，例えば２０〜２００μｍ，好ましくは４０〜１５０μｍで形成される。また，後処理テープ２００を形成する素材は，おむつに用いられる場合，ポリエチレンテレフタラート（ＰＥＴ）や，ポリプロピレン（ＰＰ）であることが好ましい。
【００３３】
（２．後処理テープの構成）
以下，図３から図６を参照して，使い捨ておむつ１００の外面に取り付けられた後処理テープ２００の構成について説明する。後処理テープ２００は，前述の通り薄いフィルム状のテープであるが，図３から図６においては，後処理テープの構成を分り易く示すため，概念的に厚みをもたせて作図を行った。
【００３４】
（２−１．第１の実施形態）
図３は，本発明の第１の実施の形態を示している。図３に示されるように，本発明の第１の実施形態は，別体として形成された基底片１，中間片２，及び最上片３が接着されることにより，連続して構成された例である。
【００３５】
図３に示されるように，中間片２と最上片３は，中間片２の最上片１と連結する側の端部が折り返され，その折り返された裏面が，最上片３の裏面と接着することにより連続している。また，中間片２と基底片１は，中間片２の基底片１と連結する側の端部が折り返され，その折り返された裏面が，基底片１の裏面と接着することにより連続している。
【００３６】
特に，中間片２は，基底片１と連続する連結点側の一端において，中間片２の裏面に設けられた粘着層２ａ同士が接着する方向に折り返されている。従って，中間片２は，まず，中間片２の裏面に設けられた粘着層２ａが，基底片１の表面に設けられた離型層１ｂと接着する領域である離型層接着部２１を有している。また，中間片２は，中間片２の裏面に設けられた粘着層同士が接着する領域である折返し接着部２２を有している。そして，中間片２は，基底片１と使い捨ておむつ１００の間に配設され，中間片２の裏面に設けられた粘着層２ａが，基底片１の裏面に設けられた粘着層１ａに接着する領域である粘着層接着部２３を有し，これにより，基底片１と連続している。
【００３７】
このようにして形成された後処理テープ２００は，中間片２が基底片１と連続する連結点側の一端において折り返された第１の折返し点６１，及び中間片２が最上片３と連続する連結点側において折り返された第２の折返し点６２において折り返される。つまり，後処理テープ２００は，第１の連結点６１において図３のＤ１方向に向かって折り返され，第２の連結点６２において図３のＤ１方向とは反対の方向であるＤ２方向に向かって折り返される。このようにして，後処理テープ２００は，Ｚ状に折り畳み可能となっている。後処理テープ２００は，Ｚ状に折り畳まれると，基底片１の表面と中間片２の裏面，及び中間片２の表面と最上片１の裏面が接する状態となる。
【００３８】
図３に示す例では，後処理テープ２００が折り畳まれた状態において，基底片１のおむつを接着する面である裏面，中間片２の基底片１と対向する面である裏面，及び最上片３の中間片２と対向する面である裏面には，それぞれ粘着層１ａ，２ａ，及び３ａが設けられている。一方，後処理テープ２００が折り畳まれた状態において，基底片１の中間片２と対向する面である表面，中間片２の最上片３と対向する面である表面，及び最上片３の表面には，それぞれ離型層１ｂ，２ｂ，及び３ｂが設けられている。
【００３９】
以下，第１の実施形態の後処理テープ２００を構成する基底片１，中間片２，及び最上片３について具体的に説明する。
【００４０】
（２−１−１．基底片）
基底片１は，使い捨ておむつ１００の外面と直接接着され，後処理テープ２００の基底となる片である。基底片１は，基本的には，中間片２及び最上片３が引き伸ばされて展開した場合でも，使い捨ておむつ１００から剥離することがないように，使い捨ておむつ１００に接着される。
【００４１】
一方，基底片１の裏面（使い捨ておむつ１００に接着する面）には，粘着層１ａが設けられている。基底片１の裏面は，基本的には，使い捨ておむつから剥離しないことが好ましいため，粘着層１ａは，基底片１の裏面全体にわたって形成されていることが好ましい。
【００４２】
また，基底片１は，使い捨ておむつ１００の外面と直接に接着する対象物接着部１１と，中間片２のうち第１の折返し点６１において折り返された裏面の粘着層２ａと接着する中間片接着部１２を有する。
【００４３】
粘着層の保持力は，用途に合せて適宜調節可能である。粘着層の保持力は，接着剤の種類や，接着剤を塗布する量を変化させることにより，適宜調節できる。例えば，粘着層の保持力は，粘着力（タック性）の異なる粘着剤を用いたり，粘着剤の塗布量を変化させたりすることで調節できる。また，離型層についても，解離剤の種類や塗布量を変化させることで調節可能である。さらには，粘着剤と解離剤を自由に組み合わせて，接着力（粘着力）を調節することもできる。なお，本発明に用いられる粘着剤の量は，例えば，１０〜１００ｇ／ｍ２であることが好ましい。
【００４４】
（２−１−２．中間片）
中間片２は，後処理テープ２００が折り畳まれた状態において，基底片１と最上片３の中間に位置する片である。中間片２は，一端において基底片１と連続し，他端において最上片３と連続する。また，中間片２は，最上片３とともに展開自由片５を形成する。
【００４５】
中間片２は，まず，基底片１と連結する連結点側の一部が基底片１と使い捨ておむつ１００の間に配設されるように，第１の折返部６１において折り返される。中間片２は，第１の折返し部において折り返されると，中間片２の裏面に形成されている粘着層２ａ同士が接着する。中間片２のうち，粘着層２ａ同士が接着された領域は，折返し接着部２２と称される。つまり，折返し接着部２２においては，中間片２の裏面に形成されている粘着層２ａと，中間片２の裏面に形成されている粘着層２ａが接着されている。一般的に，粘着層同士が接着すると，粘着層同士の保持力は向上する。従って，折返し接着部２２において，粘着層同士が接着した保持力は，例えば，粘着層と離型層が接着した保持力よりも強固である。
【００４６】
また，中間片２は，第１の接着部６１において折り返されることにより，基底片１と連結する連結点側の一部が，基底片１と使い捨ておむつの間に配設される。そして，中間片２の裏面に設けられた粘着層２ａと，基底片１の裏面に設けられた粘着層１ａが，接着する。中間片２のうち，基底片１の裏面の粘着層１ａと接着された部分は，粘着層接着部２３と称される。つまり，本発明において，基底片１のうちの中間片２と連結する連結点側の一部は，使い捨ておむつ１００の外面に接着されておらず，中間片２の折り返された裏面に接着されている。このように，中間片２は，粘着層接着部２３が形成されていることにより，基底片１と連続する。
【００４７】
なお，中間片２は，基底片１の表面に形成された離型層１ｂと接着する離型層接着部２１も有している。中間片２が離型層接着部２１を有してことにより，後処理テープ２００が折り畳まれた状態において，中間片２が基底片１に接着している状態を維持できる。また，離型層接着部２１は，基底片１の離型層１ｂと接着するものであるため，後処理テープ２００が展開するに際して，比較的容易に基底片１の離型層１ｂから剥離される。
【００４８】
また，中間片２の表面（最上片１と対向する面）には，離型層２ｂが設けられている。中間片２の表面に離型層２ｂが設けられることにより，後処理テープ本体６が展開されるとき，最上片３の裏面に設けられた粘着層３ａが，中間片２の離型層２ｂから比較的容易に剥離される。
【００４９】
さらに，中間片２は，図３に示されるように，折返し接着部２２が使い捨ておむつ１００の外面に固着される固着部２４を有する。このとき，中間片２の折返し接着部２２と使い捨ておむつ１００の外面を接着させる固着部２４の保持力は，中間片２の裏面に設けられた粘着層２ａが基底片１の表面に設けられた離型層１ｂに接着する保持力と比較してより強固になっている。固着部２４は，中間片２の折返し接着部２２を，使い捨ておむつ１００に強固に固着する。具体的に説明すると，固着部２４は，中間片２の折返し接着部２２うち，第１の折返部６１において折り返されて使い捨ておむつ１００の外面と対向するようになった中間片２の表面（離型層２ｂ）と，使い捨ておむつ１００の外面を固着させる。
【００５０】
また，中間片２の折返し接着部２２と使い捨ておむつ１００の外面を接着させる固着部２４の保持力は，基底片１の裏面に設けられた粘着層１ａが使い捨ておむつ１００の外面に接着する保持力と比較して，より強固なものであってもよい。
【００５１】
折返し接着部２２を使い捨ておむつ１００に固着させる固着手段としては，例えば，ホットメルト接着剤やその他流動性のある接着剤を用いることとしてもよいし，ヒートシールのような熱溶着や超音波溶着を用いることとしてもよい。また，例えば，固着手段としては，粘着力（タック性）のがより強固な接着剤を用いたり，接着剤の塗布量を増加させたりすることにより，接着強度を上げる方法を採用できる。
【００５２】
接着剤の保持力は，使用する接着剤の種類や，接着剤を塗布する量を変化させることにより，適宜調節可能である。例えば，接着剤の保持力は，粘着力（タック性）の異なる粘着剤を用いたり，接着剤の塗布量を変化させたりすることで調節できる。本発明に用いられる粘着剤の量は，例えば，５０〜１５０ｇ／ｍ２であることが好ましい。
【００５３】
また，固着部２４に使用される接着剤の種類としては，例えば，スチレン系やオレフィン系のホットメルト型接着剤を用いることが好ましい。その他，アクリル系接着剤や，合成ゴム系接着剤を使用することとしてもよい。ただし，接着剤の種類については，公知のものを適宜採用することができ，上掲した接着剤に限定されるものではない。
【００５４】
また，接着剤の塗布方法については，例えば，カーテンスプレー，スパイラルスプレー，オメガコート，シュアランプのような非接着型の接着方法を採用することが好ましい。ただし，接着剤の塗布方法については，公知の方法を適宜採用することができ，上掲した方法に限定されない。
【００５５】
（２−１−３．最上片）
最上片３は，折り畳まれた状態における後処理テープ２００の最上部に位置する片である。最上片３は，中間片２と連続し，中間片２とともに展開自由片５を形成する。また，最上片３は，使い捨ておむつ１００の廃棄時に，おむつの腰周り端１０３を越えて，おむつ本体１０２側の外面に接着される片である。
【００５６】
最上片３の裏面には，粘着層３ａが設けられている。図３において，最上片３の粘着層３ａは，中間片２との連結点側において，中間片２の折り返された裏面（粘着層２ａ）と接着している。最上片３の裏面に粘着層３ａが設けられていることにより，後処理テープ２００が折り畳まれた状態において，最上片３が中間片２の表面に設けられた離型層２ｂに接着している状態を維持できる。また，最上片３の裏面に粘着層３ａが設けられていることにより，使い捨ておむつ１００の廃棄時に，おむつの腰周り端１０３を越えて，おむつ本体１０２側の外面に後処理テープ２００を保持できる。
【００５７】
また，中間片２と連続した最上片３の一端とは他端の裏面には，摘み部３１が設けられていることが好ましい。摘み部３１は，後処理テープ本体６を展開する際に，摘まれる部分である。これにより，最上片３を摘まんで，後処理テープ本体６を展開しやすくなる。摘み部３１は，例えば，最上片３の裏面に非粘着性の摘み片を接着させる，最上片３の裏面の一部に粘着層を形成しない，又は最上片の３の裏面の一部に離型処理を施すことにより形成される。なお，図３に示される例において，摘み部３１は，最上片３の裏面に非粘着性の摘み片を接着させることにより形成されている。
【００５８】
（２−１−４．後処理テープの動作例）
以下，図４を参照して，後処理テープ２００の動作例について具体的に説明する。なお，特に，図４においては，本発明の第１の実施形態の動作例について説明する。
【００５９】
まず，後処理テープ２００は，図３に示すようなＺ状に折り畳まれた状態から，最上片３が，Ｄ１方向に引っ張られると，最上片３の粘着層３ａが中間片２の離型層２ｂから剥離する。次に，後処理テープ２００は，最上片３が，Ｄ１方向とは反対方向であるＤ２方向に引っ張られると，中間片２の粘着層２ａ（離型層接着部２１）が基底片１の離型層１ｂから剥離する。このようにして，最上片３及び中間片２がそれぞれ剥離され，展開自由片５が形成される。
【００６０】
このとき，図３に示されているように，第１の折返し点近傍において中間片２の粘着層２ａ同士が接着された折返し接着部２２では，中間片２の粘着層２ａ同士は剥離しない。これは，折返し接着部２２においては，粘着層同士が接着しており，強固な接着状態となっているからである。従って，最上片３がＤ２方向に引っ張られ，中間片２の粘着層２ａ（離型層接着部２１）が基底片１の離型層から剥離しても，その剥離は，折返し接着部２２において止まる。従って，後処理テープ２００が展開される際の作用点は，折返し接着部２２となる。このようにして，後処理テープ２００が展開される際の作用点が，第１の連結点６１ではなく，折返し接着部２２の位置までずれる。
【００６１】
さらに，本発明の第１の実施形態においては，固着部２４において，中間片２の折返し接着部２２と使い捨ておむつ１００の外面が，強固に接着されている。従って，展開自由片５が，図４に示されたＤ１方向又はＤ２方向のいずれの方向から引っ張られた場合であっても，折返し接着部２２（作用点）を基準として展開自由片５の引張方向とは反対方側にある部分により，基底片１と使い捨ておむつ１００の保持力を強い状態に維持できる。
【００６２】
この状態において，最上片３の裏面に形成された粘着層３ａを，使い捨ておむつ１００の腰周り端１０３を越えて，おむつ本体１０２に接着することにより，後処理テープ２００は，使い捨ておむつ１００を丸めた状態に保持できる。
【００６３】
（２−２．第２の実施形態）
次に，図５及び図６を参照して，後処理テープ２００の第２の実施形態について説明する。第２の実施形態の説明においては，上述した第１の実施形態と異なる点を中心に説明する。
【００６４】
第２の実施形態は，後処理テープ２００が折り畳まれた状態において，基底片１が折り返され，基底片１の一部が，中間片２の離型接着面２１と接着している点において異なる。つあり，基底片１は，基底片１が中間片２と連続する連結点側の一端において，基底片１の裏面に設けられた粘着層１ａが中間片２の離型層接着部２１の裏面に設けられた粘着層２ａと接着する方向に折り返されている。これにより，中間片２の離型層接着部２１の裏面の一部が，基底片１の裏面に設けられた粘着層１ａと接着している。
【００６５】
図５に示されるように，第２の実施形態において，基底片１は，対象物接着部１１と，中間片接着部１２と，延出部１３を有している。対象物接着部１１は，使い捨ておむつ１００の外面と直接に接着する部分である。中間片接着部１２は，中間片２のうち第１の折返し点６１において折り返された裏面の粘着層２ａと接着する部分である。延出部１３は，基底片１の中間片２との連結端側がさらに延出し，折り返されることにより形成される部分である。基底片１は，延出部１３において，基底片１の裏面に形成された粘着層１ａが，中間片２の離型層接着部２１の裏面に形成された粘着層２ａの一部と接着している。
【００６６】
このように，基底片１の裏面に形成された粘着層１ａ，中間片１の離型層接着面２１から粘着層接着面２３にかけて接着されていることにより，基底片１と中間片２の接着状態をより強固にすることができる。また，基底片１によって，中間片２の折返し接着部２２において接着された粘着層２ａ同士が最も剥離しやすい箇所を被膜することができるため，折返し部２２において接着された粘着層２ａ同士が剥離することを防止できる。
【００６７】
すなわち，図６に示されるように，後処理テープ２００が，図５に示す状態から，最上片３が中間片２から剥離され，その後，最上片３がＤ２方向に引っ張られて，中間片２の粘着層２ａ（離型層接着部２１）が基底片１の離型層１ｂから剥離した場合であっても，折返し部２２において接着された粘着層２ａ同士が剥離する事態を防止できる。
【００６８】
なお，本発明は，上述した後処理テープ，及び後処理テープ付き使い捨ておむつに限定されるものではなく，上記構成を採用可能な粘着テープ，及び粘着テープ付の対象物に広く適用できる。
【００６９】
（２−３．第３の実施の形態）
次に，７図を参照して，後処理テープ２００の第３の実施形態について説明する。第３の実施形態の説明においては，上述した第１の実施形態と異なる点を中心に説明する。
【００７０】
図７に示される第３の実施形態は，中間片２が，中間片２の粘着層接着部２３と使い捨て使い捨ておむつ１００の外面が固着する固着部２４´を有している点において，第１の実施形態と異なる。固着部２４´は，中間片２の折返し接着部２２と使い捨ておむつ１００の外面を固着させる固着部２４と同様の技術的意義を有する。
【００７１】
つまり，中間片２の粘着層接着部２３と使い捨ておむつ１００の外面を固着させる固着部２４´の保持力は，中間片２の裏面に設けられた粘着層２ａが基底片１の表面に設けられた離型層１ｂに接着する保持力と比較してより強固になっている。固着部２４´は，中間片２の粘着層接着部２３を，使い捨ておむつ１００に強固に固着する。具体的に説明すると，固着部２４´は，中間片２の粘着層接着部２３うち，基底片１と使い捨ておむつ１００の間に配設され，使い捨ておむつ１００外面と接するようになった中間片２の表面（離型層２ｂ）と，使い捨ておむつ１００の外面を固着させる。
【００７２】
粘着層接着部２３を使い捨ておむつ１００に固着させる固着手段としては，折返し接着部２２を使い捨ておむつ１００に固着させる固着手段を同様のもとを使用することができる。例えば，ホットメルト接着剤やその他流動性のある接着剤を用いることとしてもよいし，ヒートシールのような熱溶着や超音波溶着を用いることとしてもよい。また，例えば，固着手段としては，粘着力（タック性）のがより強固な接着剤を用いたり，接着剤の塗布量を増加させたりすることにより，接着強度を上げる方法を採用できる。
【００７３】
固着部２４´を有することにより，後処理テープ２００と使い捨ておむつ１００が強固に固着される面積が広がるため，より効果的に後処理テープが剥離することを防止できる。
【産業上の利用可能性】
【００７４】
本発明は，使い捨ておむつの廃棄時に使い捨ておむつを丸めた状態で保持するための後処理テープ及び，後処理テープが取り付けられた使い捨ておむつに適用することができる。従って，本発明は，育児及び介護に関する産業において好適に利用し得る。
【符号の説明】
【００７５】
１      基底片
１ａ      粘着層
１ｂ      離型層
２      中間片
２ａ      粘着層
２ｂ      離型層
３      最上片
３ａ      粘着層
５      展開自由片
１１    対象物接着部
１２    中間片接着部
１３    延出部
２１    離型層接着部
２２    折返し接着部
２３    粘着層接着部
２４    固着部
６１    第１の折返し点
６２    第２の折返し点
１００  使い捨ておむつ（対象物）
１０１  腰周り伸縮材
１０２  おむつ本体
１０３  腰周り端
１０４  バックシート
２００  後処理テープ（粘着テープ）
【図１】
0005625982.tif 000002
【図２】
0005625982.tif 000003
【図３】
0005625982.tif 000004
【図４】
0005625982.tif 000005
【図５】
0005625982.tif 000006
【図６】
0005625982.tif 000007
【図７】
0005625982.tif 000008